(57)【要約】【課題】水洗いの際に水栓周りに水滴や洗剤の泡等を極力留まらせることなく、キッチンの清掃性、利便性を向上させる使い勝手のよいキッチン用シンクを提供する。【解決手段】キッチン用シンク１は、シンク１の槽４の後面１０の一部をなし、上方に向かって広がる左右対称の輪郭を有し、上方に向かうにつれて後退し、水栓１３の取付開口１２が形成された傾斜面１１と、傾斜面１１の輪郭に沿って傾斜面１１から突出した一対の段部１７とを含み、一対の段部１７は、それぞれの上方の端部において、シンク１の天板上面、すなわちワークトップ３となだらかに連続する。【選択図】図２
2008255575.tif 000002
【特許請求の範囲】
【請求項１】
シンクの槽の後面の一部をなし、上方に向かって広がる左右対称の輪郭を有し、上方に向かうにつれて後退していて、水栓の取付開口が形成された傾斜面と、
前記傾斜面の輪郭に沿って該傾斜面から突出した一対の段部とを含み、
前記一対の段部は、それぞれの上方の端部において、該シンクの天板上面となだらかに連続することを特徴とするキッチン用シンク。
【請求項２】
前記一対の段部は、それぞれの下方の端部に向かうにつれて、前記突出の幅が狭まることを特徴とする請求項１に記載のキッチン用シンク。
【請求項３】
前記傾斜面は、該シンクの槽の後方に起立するバックガード面と連続して形成されることを特徴とする請求項１または２に記載のキッチン用シンク。
【発明の詳細な説明】
【技術分野】
【０００１】
本発明は、システムキッチン等のキッチンキャビネットに組み込まれるキッチン用シンクに関するものである。
【背景技術】
【０００２】
従来からキッチンは、たとえば特許文献１〜３に記載のように、キッチンキャビネットにシンクが一体に組み込まれ、キッチンキャビネットの上面に載置されたカウンタートップのシンク後方にあたる位置に水栓が取り付けられたり、あるいは、シンクの内部奥側にベースが設けられ、このベース上に水栓が取り付けられたりしている。
【０００３】
このような水栓は、その吐水口をシンクの上方に配する必要上、水栓本体がカウンタートップやベースから垂直に起立するとともに、スパウト（シャワー水栓の場合には、ヘッドホルダーおよびシャワーヘッド）がその水栓本体から斜め上方に向かって延設される構造となっている。そして、水栓本体の上部や側部に、吐水を制御するためのレバーまたはハンドルが設けられている。
【特許文献１】特開平１１−４２１３０号公報
【特許文献２】特開平８−２３２３１４号公報
【特許文献３】特開２００５−４８５２９号公報
【発明の開示】
【発明が解決しようとする課題】
【０００４】
ところで、シンクにおいて食器や食材等を水洗いするときには、レバーやハンドルを操作して水の出し止めを行なうが、この操作の際に、手に付着した洗剤の泡や水滴などがレバーやハンドルから水栓本体を伝わってカウンタートップやベースを濡らしてしまう。
【０００５】
また、食器や食材等を洗うときに手が汚れることも多く、その手でレバーやハンドルを操作するため、レバーやハンドルに汚れを付着させてしまうこともある。このような場合には、その汚れを除去すべく、水栓の上方から水をかけることになるが、この水がカウンタートップやベースに直接かかって、水栓周りを水浸しにしてしまう結果となる。
【０００６】
このような水栓のレバーやハンドルの操作は、調理作業中や食事の後片付けの間、相当の頻度で行なわれるため、その度に水栓周りのカウンタートップやベース上にたまった水や洗剤の泡を拭き取る必要性が生じ、掃除をする手間が非常に煩雑であるという問題があった。
【０００７】
そこで本発明は、水洗いの際に水栓周りに水滴や洗剤の泡等を極力留まらせることなく、キッチンの清掃性、利便性を向上させる、使い勝手のよいキッチン用シンクを提供することを目的としている。
【課題を解決するための手段】
【０００８】
上記課題を解決するために、本発明にかかるキッチン用シンクの代表的な構成は、シンクの槽の後面の一部をなし、上方に向かって広がる左右対称の輪郭を有し、上方に向かうにつれて後退していて、水栓の取付開口が形成された傾斜面と、傾斜面の輪郭に沿って傾斜面から突出した一対の段部とを含み、一対の段部は、それぞれの上方の端部において、シンクの天板上面となだらかに連続することを特徴とする。
【０００９】
上述の上方に向かって広がる輪郭は、一定の勾配で左右に広がる直線的な輪郭でもよいし、勾配が変化しつつ左右に広がる、例えば２次曲線的なものでもよい。
【００１０】
上記構成によれば、水栓が傾斜面に設けられているため、たとえば、洗剤の泡や水滴などが水栓を下方に伝わっていったとしても、シンクの槽の内部が濡れるだけで、従来のシンクのようにキッチンのカウンタートップやベースを濡らしてしまうようなことがなく、常に水まわりをきれいに保つことができる。
【００１１】
また、水栓を伝わってシンクの槽の傾斜面に流れ落ちた泡や水滴は、傾斜面の傾斜によってさらに下方に向かい槽の底面まで流れ落ちるので、従来のように、水栓周りにたまった泡や水滴を拭き取るような掃除の手間も生じず、利便性に優れる。
【００１２】
さらに、上述の一対の段部は、傾斜面の輪郭に沿っているため、傾斜面の中央に近付くにつれて、シンクの底面に向かって傾斜して下降する。したがって、水栓の上方から水をかけることによって左右方向に拡がってとんだ水滴については、段部が傾斜面の中央に向かって側に水滴を案内するとともに、段部の傾斜と傾斜面の傾斜によってさらに水滴を下方の底面まで案内することができる。
【００１３】
以上より、水洗いの際に水栓周りに水滴や洗剤の泡等を極力留まらせることなく、キッチンの清掃性、利便性を向上させる。
【００１４】
一対の段部は、それぞれの下方の端部に向かうにつれて、突出の幅が狭まるとよい。このようにすることで、水滴が段差にとどまりにくく、清掃性、利便性の向上の効果をより高めることができる。
【００１５】
傾斜面は、シンクの槽の後方に起立するバックガード面と連続して形成されるとよい。これによって、上方に拡がってとんだ水滴についても、バックガード面から傾斜面へと案内され、さらに傾斜面の傾斜によって最終的には槽の底面まで流れ落ちることとなる。したがって、さらに、キッチンの清掃性、利便性の向上を図ることができる。
【発明の効果】
【００１６】
本発明によれば、水洗いの際に水栓周りに水滴や洗剤の泡等を極力留まらせることなく、キッチンの清掃性、利便性を向上させることが可能であり、使い勝手のよいキッチン用シンクを提供することができる。
【発明を実施するための最良の形態】
【００１７】
本発明にかかるキッチン用シンクの実施形態について説明する。図１は本実施形態にかかるシステムキッチンのシンク周辺の斜視図、図２はシンクの後面の拡大斜視図、図３はシンクを示し、（ａ）は平面図、（ｂ）はＡ−Ａ断面図、（ｃ）はＢ−Ｂ断面図、図４は他の実施例にかかるシンクの後面の拡大斜視図である。なお、以下の実施例に示す寸法、材料、その他具体的な数値などは、発明の理解を容易とするための例示に過ぎず、特に断る場合を除き、本発明を限定するものではない。
【００１８】
図１、図２および図３に示すように、シンク（キッチン用シンク）１は、システムキッチンのキッチンキャビネット２のカウンタートップ３に形成された開口からシンク１の後述する槽４が嵌め込まれ固定されることにより、キッチンキャビネット２に一体に組み込まれている。カウンタートップ３の後方縁は、一段高く形成されて、その上面はそのまま対面式カウンターの上面５へとつながっていて、この後方縁の段差はシンク１からの水跳ねを防止するためのバックガード面６を形成している。
【００１９】
図２に示すように、シンク１の槽４の底面７には、後述する水栓の取付開口１２の前方の位置に、排水口９が設けられている。
【００２０】
槽４の後面１０の略中央には、上方に向かって広がる左右対称の輪郭を有し、なだらかに、上方に向かうにつれて後退する傾斜面１１が設けられている。後面１０に対するこの傾斜面１１の傾斜角度θは、図３（ｃ）に示されていて、約１０度としてよく、本実施形態では１１度としている。また、後面は鉛直な面でもよいし、鉛直方向から約４度程度傾斜させておいてもよい。傾斜面１１の上部は、シンク１の槽４の後方に起立するバックガード面６となだらかに連続している。また、傾斜面１１の左右方向略中央には、水栓を取り付けるための取付開口１２が形成され、この取付開口１２に水栓１３が取り付けられて固定される。
【００２１】
さらに、傾斜面１１の輪郭に沿って傾斜面１１から突出した、幅Ｓの一対の段部１７が、取付開口１２（およびこの取付開口１２に取り付けられた水栓１３）を挟んで左右対称に設けられている。この一対の段部１７は、水平方向（矢印Ｈ方向）に取付開口１２に近づくにつれて、槽４の底面７の方、すなわち底面７に設けられた排水口９の方に向かうよう、傾斜しつつ下降している。
【００２２】
そして、この一対の段部１７の傾斜のラインＬは、正面から見ると白鳥が翼を広げるように上方が弧を描いて湾曲している。
【００２３】
なお、本実施形態では、傾斜のラインＬは、なだらかに湾曲しているが、傾斜面１１の輪郭に等しいこのラインは、上方に向かって広がる形状であれば、いかなる形状でもよい。
【００２４】
この段部１７は、槽４が形成された天板上面、すなわちカウンタートップ３となだらかに連続してつながるようになっている。このように、段部１７とカウンタートップ３とが連続して設けられることによって、カウンタートップ３に支持され、槽４を横切って水切りメッシュプレート２０を架け渡して設置することが容易に可能となる。
【００２５】
また、各段部１７の突出の幅Ｓは、上部では幅広に形成され、それぞれの下方の端部に向かうにつれて次第に狭まり、最終的にはそのまま傾斜面１１と一体となって消失するように形成されている。
【００２６】
このように構成されたシンク１では、シンク１の槽４の後面１０の一部をなし、上方に向かって広がる左右対称の輪郭を有し、上方に向かうにつれて後退する傾斜面１１が設けられ、この傾斜面１１に水栓１３が取り付けられる。したがって、たとえば、食器や食材等を水洗いする際に水栓１３のレバーを操作することによって、手に付着した洗剤の泡や水滴などがレバーから水栓本体を下方に伝わっていったとしても、槽４の内部が濡れるだけで、従来のシンクのようにキッチンのカウンタートップやベースを濡らしてしまうようなことがなく、常に水まわりをきれいに保つことができる。
【００２７】
また、水栓１３を伝わって槽４の傾斜面１１に流れ落ちた泡や水滴は、傾斜面１１の傾斜によってさらに下方に向かい槽４の底面７まで流れ落ちるため、従来のように、水栓１３の周りにたまった泡や水滴を拭き取るような掃除の手間も生じず、利便性に優れる。
【００２８】
さらに、レバーに汚れ等が付着したときに、その汚れを除去すべく、水栓１３の上方から水をかける場合には、水栓本体を伝わって水が流れ落ちる場合より、濡れる範囲が広くなる可能性がある。しかしシンク１は、傾斜面１１に対して幅Ｓを形成する一対の段部１７が水栓１３を挟んで左右に略対称に設けられているため、これら一対の段部１７は、それぞれの上方の端部において、シンク１の天板上面、すなわちカウンタートップ３となだらかに連続する。したがって、より広範囲にわたって水がかかった場合であっても、左右方向に拡がってとんだ水滴については、段部１７が傾斜面１１の側（槽４の左右方向中央側）に水滴を案内するとともに、段部１７の傾斜と傾斜面１１の傾斜によってさらに水滴を下方の底面７まで案内することができる。
【００２９】
そして、シンク１では、各段部１７の突出の幅Ｓが、それぞれの下方の端部に向かうにつれて、次第に狭まるため、水滴が各段部１７にとどまりにくく、より高い効果を発揮することができる。
【００３０】
一方、上方に拡がってとんだ水滴については、傾斜面１１がシンク１の槽４の後方に起立するバックガード面６と連続してつながって形成されていることにより、バックガード面６にかかった水滴についても、バックガード面６から傾斜面１１へと案内され、さらに傾斜面１１の傾斜によって最終的には槽４の底面７まで流れ落ちることとなる。
【００３１】
このように、本実施形態は、水が比較的広範囲にわたってかかる場合にも、シンク１は水滴が槽４の底面７に自動的に集まる構造を有している。したがって、従来のように、水がカウンタートップやベースに直接かかり、水栓周りを水浸しにしてしまうようなことがない。すなわち、シンク１の掃除を頻繁に行なわなくても、調理作業後や食事の後片付けの際に行なう通常の掃除のみで足り、清掃性に優れる。
【００３２】
上記説明した如く、本実施形態にかかるキッチン用シンク１においては、シンク１の槽４の後面１０の一部をなし、上方に向かって広がる左右対称の輪郭を有し、上方に向かうにつれて後退した傾斜面１１が設けられ、ここに水栓の取付開口１２が形成される。また、傾斜面１１に対して幅Ｓを形成する一対の段部１７が取付開口１２を挟んで左右に略対称に設けられている。
【００３３】
一対の段部１７は、それぞれの上方の端部において、シンク１の天板上面、すなわちカウンタートップ３となだらかに連続する。これにより、水洗いの際に水栓周りに水滴や洗剤の泡等を極力留まらせることなく、キッチンの清掃性、利便性を向上させることが可能である。
【００３４】
なお、上記実施形態では、シンク１の槽４の後面１０の一部をなす、図１、図２および図３に示すような一対の段部１７が形成されるものとして説明した。しかし、本発明はかかる実施形態に限定されるものではなく、たとえば、図４に示すような段部２２が形成される実施形態としてもよい。
【００３５】
この段部２２の曲率は、段部１７の曲率よりも大きく、また、段部２２の下部は、水栓の取付開口２３の下方の部分２４でつながっている。このような段部２２を有するキッチン用シンクであっても、上述のシンク１と同様の効果を奏することができる。
【００３６】
上述のつながっている部分２４は、直線状になってつながっている。また、曲率をもたせておいてもよいことは言うまでもない。
【００３７】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３８】
本発明は、システムキッチン等のキッチンキャビネットに組み込まれるキッチン用シンクとして利用することができる。
【図面の簡単な説明】
【００３９】
【図１】第１の実施形態にかかるシステムキッチンのシンク周辺の斜視図である。
【図２】図１のシンクの後面の拡大斜視図である。
【図３】図１のシンクを示し、（ａ）は平面図、（ｂ）はＡ−Ａ断面図、（ｃ）はＢ−Ｂ断面図である。
【図４】第２の実施形態にかかるシンクの後面の拡大斜視図である。
【符号の説明】
【００４０】
１  シンク（キッチン用シンク）
４  槽
６  バックガード面
７  （槽の）底面
１０  （槽の）後面
１１  傾斜面
１２  取付開口
１３  水栓
１７  段部
【図１】
2008255575.tif 000003
【図２】
2008255575.tif 000004
【図３】
2008255575.tif 000005
【図４】
2008255575.tif 000006